(57)【要約】【課題】機能性の向上を図ることができる前板構造を提供する。【解決手段】前板（前板構造）１７は、前板本体１９と、前板本体１９の前面上部に取り付けられた取っ手２１と、前板本体１９の前面中央部に形成された小物入れスペースとしての収納凹部２３と、収納凹部２３を開閉する扉２５等を有している。前板本体１９は、アクリル樹脂で一体成形された表面材と、この表面材の背面側を覆う樹脂製の背面材と、表面材と背面材の間に設けられた発泡ウレタン樹脂からなる芯材との３層に構成されている。収納凹部２３は表面材の薄肉化による成形の自由度を利用して一体成形されている。【選択図】        図２
2007167519.tif 000002
【特許請求の範囲】
【請求項１】
引き出しの前面側に取り付けられ又は収納庫の開閉扉として用いられる前板構造において、表面材と、該表面材の背面側に設けられた発泡性樹脂の芯材とを備え、上記表面材には収納凹部が一体に形成されていることを特徴とする前板構造。
【請求項２】
引き出しの前面側に取り付けられ又は収納庫の開閉扉として用いられる前板構造において、表面材と、該表面材の背面側に設けられた背面材と、上記表面材と上記背面材の間に設けられた発泡性樹脂の芯材とを備え、上記表面材と上記背面材のいずれか一方には収納凹部が一体に形成されていることを特徴とする前板構造。
【請求項３】
請求項１又は２に記載の前板構造において、上記収納凹部に開閉扉が設けられていることを特徴とする前板構造。
【請求項４】
請求項１から３のいずれかに記載の前板構造において、上記芯材が発泡ウレタン樹脂で形成されていることを特徴とする前板構造。
【発明の詳細な説明】
【技術分野】
【０００１】
本発明はシステムキッチン等における引き出しの前面パネルとして、あるいは収納庫（キャビネット）の扉として用いられる前板構造に関する。
【背景技術】
【０００２】
例えば、システムキッチンにおける引き出しの前板は、従来、木質系材料で形成され、アクリル樹脂で塗装して表面仕上げしたものが知られている。
近年、生活空間におけるデザイン性が重要視されるようになっており、キッチンや洗面台等においても曲面デザインが積極的に採り入れられている。これに伴い、曲面加工に不向きな木質系材料に代わって成形自由度が大きい樹脂が多用されている。
しかしながら、この種の前板（扉）において、その全体を樹脂で形成した場合、かなりの重量となる。
この問題に対処すべく、発泡ウレタン樹脂を扉の芯材として用い、扉全体の軽量化を図る提案がなされている。
例えば、アクリル樹脂製の表面材と、発泡ウレタン樹脂製の芯材と、ＡＢＳ樹脂製の背面材とからなる３層構造の扉が知られている。
【０００３】
【特許文献１】特開２００３−１６４３４５号公報
【発明の開示】
【発明が解決しようとする課題】
【０００４】
上記のように、発泡ウレタン樹脂製の芯材を用いることにより扉の軽量化を実現できるが、機能的には従来の扉機能の域を出るものではなく、機能性の向上という観点からは満足できる現状にはなかった。
すなわち、発泡性の芯材を用いることにより薄肉となった表面材又は背面材の成形性の自由度が十分に活かされていなかった。
【０００５】
本発明は、表面材又は背面材の成形性の自由度を活かして機能性の向上を図ることができる前板構造の提供を、その目的とする。
【課題を解決するための手段】
【０００６】
請求項１に記載の発明は、引き出しの前面側に取り付けられ又は収納庫の開閉扉として用いられる前板構造において、表面材と、該表面材の背面側に設けられた発泡性樹脂の芯材とを備え、上記表面材には収納凹部が一体に形成されていることを特徴とする前板構造である。
【０００７】
請求項２に記載の発明は、引き出しの前面側に取り付けられ又は収納庫の開閉扉として用いられる前板構造において、表面材と、該表面材の背面側に設けられた背面材と、上記表面材と上記背面材の間に設けられた発泡性樹脂の芯材とを備え、上記表面材と上記背面材のいずれか一方には収納凹部が一体に形成されていることを特徴とする前板構造である。
【０００８】
請求項３に記載の発明は、請求項１又は２に記載の前板構造において、
上記収納凹部に開閉扉が設けられていることを特徴とする前板構造である。
【０００９】
請求項４に記載の発明は、請求項１から３のいずれかに記載の前板構造において、上記芯材が発泡ウレタン樹脂で形成されていることを特徴とする前板構造である。
【発明の効果】
【００１０】
本発明によれば、表面材の薄肉化による成形性の自由度を利用して小物入れに適した収納凹部を容易に形成することができ、前板の機能性を向上させることができる。
【発明を実施するための最良の形態】
【００１１】
以下、本発明の実施の形態を図１から図５に基づいて説明する。
システムキッチン１には、ガスレンジ３、ガスオーブン５、収納庫扉７等が設けられており、端部には上下方向に３段の引き出し９、１１、１３が設けられている。
中央部の引き出し１１は、本発明を実施した引き出しであり、図２に示すように、箱状の引き出し本体１５と、この引き出し本体１５の引き出し方向（矢印方向）前面側に取り付けられた前板構造（以下、単に「前板」という）１７を有している。
【００１２】
前板１７は、前板本体１９と、前板本体１９の前面上部に取り付けられた取っ手２１と、前板本体１９の前面中央部に形成された収納凹部２３と、収納凹部２３を開閉する扉２５等を有している。扉２５を閉めた状態で前面が緩やかな凸面となる形状を有している。
前板本体１９の取っ手２１に対向する部位には、指を入れやすくするための凹部２７が形成されている。
扉２５は、収納凹部２３の開口部一端側において、図示しないヒンジにより水平方向に開閉自在に支持されている。収納凹部２３の開口部他端側の上下部位にはマグネットキャッチの一方をなす部材２９が設けられており、これに対向する扉２５の上下部位にはマグネットキャッチの他方をなす部材３１が設けられている。
扉２５は樹脂で一体成形されており、ヒンジ側と反対側に形成された摘み凹部３３により開閉するようになっている。
【００１３】
収納凹部２３は、調味料入れ３５等の小物を収容するのに適した大きさを有しており、上下方向に複数段に収納ケース３７、３９が取り付けられている。
図３に示すように、収納凹部２３の内方両側には、収納ケース３７、３９をセットするための２枚板構造の支持部４１、４３が一体に形成されている。
また、前板本体１９の上部に形成された凹部２７の両側には、取っ手２１を取り付けるための溝４５が形成されている。
【００１４】
図４（図３におけるＡ−Ａ線での断面図）に示すように、前板本体１９は、樹脂（ここではアクリル樹脂）で一体成形された表面材４７と、この表面材４７の背面側を覆う樹脂製の背面材４９と、表面材４７と背面材４９の間に設けられた発泡ウレタン樹脂からなる芯材５１との３層に構成されている。
表面材４７の背面には、表面材４７に対して背面材４９が面一となるように位置決めする位置決め部４７ａが形成されている。
芯材５１は表面材４７の収納凹部２３の形状に沿うように注入・充填されている。
背面材４９は必ずしも必要ではなく、芯材５１の露出表面をコーティングするだけでもよい。
【００１５】
軽量化のために前板本体１９を薄肉の表面材４７のみで構成しても質量感、重厚感が不足してインテリア性の低下（見劣り）を来たすとともに強度不足となる。
本実施形態のように、成形性に優れた発泡性樹脂の芯材５１を用いることにより、表面材４７を薄肉としながらもインテリア性の低下を防止できるとともに、軽量化並びに強度を確保することができる。
本実施形態では、表面材４７の薄肉化、換言すれば表面材４７の成形性の自由度の増大を利用して、収納凹部２３及び前面曲面形状を一体成形している。これにより、従来の前板（扉）機能に、小物収納機能を容易に付加することが可能となる。
収納凹部２３は、前板（扉）としての機能を阻害しない厚みＷの範囲内においてその寸法を適宜設定することができる。
芯材５１の材料としては、成形の自由度が得られる範囲で、多孔質性ないし気泡性材料を用いてもよい。
【００１６】
図５に示すように、取っ手２１はその取付片２１ａを溝４５に差し込んで固定される。
収納ケース３７、３９は、その支持片３７ａ、３９ａを支持部４１、４３の隙間に差し込んでセットされる。
【００１７】
本実施形態では、表面材４７の前面中央部に収納凹部２３を形成する構成としたが、両側面、あるいは上面に形成することもできる。また、背面材４９に収納凹部を形成して、裏面側に隠れた収納スペースを確保することもできる。
また、収納凹部２３を扉２５で覆う構成としたが、扉２５を設けずに単に小物インテリアなどを飾るスペースとしてもよい。扉２５を透明なガラスで形成し、収納凹部２３にインテリア性を有するものを入れるようにしてもよい。
また、図１で示したシステムキッチン１における１つの引き出し１１のみに適用した例を示したが、その他の引き出し９、１３、あるいは収納庫扉７においても同様に実施することができる。
また、本発明は洗面台の扉等にも適用することが可能である。
【図面の簡単な説明】
【００１８】
【図１】本発明の一実施形態に係る前板構造の使用状態を示す斜視図である。
【図２】前板構造を有する引き出しを引き出した状態の斜視図である。
【図３】前板構造における前板本体のみの斜視図である。
【図４】図３におけるＡ−Ａ線での断面図である。
【図５】前板構造の分解斜視図である。
【符号の説明】
【００１９】
１１    引き出し      １７    前板構造
２３    収納凹部      ２５    開閉扉
４７    表面材      ４９    背面材
５１    芯材
【図１】
2007167519.tif 000003
【図２】
2007167519.tif 000004
【図３】
2007167519.tif 000005
【図４】
2007167519.tif 000006
【図５】
2007167519.tif 000007